(57)【要約】【課題】用材や機器の側面に糸ノコギリやのみなどを用いずとも、側面端縁に、容易かつ確実に切り込み孔を形成できる切り込み孔形成用工具を提供する。【解決手段】作用部１と当該作用部１の延長線上に設けた把手部２から成る工具において、上記作用部１は一定の厚さを有する横長の板体とし、当該板体の下端面に沿って複数枚のノコギリ歯３ａ、３ｂを間隔をあけて並設した刃部３を設け、上端面にヤスリ部４を設け、上記刃部３で、用材や器具の側面端縁に切り込みを設け、その後、上記ヤスリ部４で上記切り込み部分を削って孔を設ける構成とした。【選択図】図１
0003182495.tif 000002
【実用新案登録請求の範囲】
【請求項１】
作用部と当該作用部の延長線上に設けた把手部から成る工具において、
上記作用部は一定の厚さを有する横長の板体とし、当該板体の下端面に沿って複数枚のノコギリ歯を間隔をあけて並設した刃部を設け、上端面にヤスリ部を設け、
上記刃部で、用材や器具の側面端縁に切り込みを設け、その後、上記ヤスリ部で上記切り込み部分を削って孔を形成する構成としたことを特徴とした、切り込み孔形成用工具。
【請求項２】
上記刃部の高さを、上記用材や器具の側面端縁に設ける孔の形状や高さに応じて調整することが可能なことを特徴とする、上記請求項１に記載の切り込み孔形成用工具。
【請求項３】
上記作用部において、上記刃部を他の形態の刃部と取り換え自在にしたことを特徴とする、上記請求項１又は２の何れかに記載の切り込み孔形成用工具。
【考案の詳細な説明】
【技術分野】
【０００１】
この考案は、例えば配線器具の露出型コンセントボックス、スイッチボックス及びランプレセプタクルボックスなどの側面に、配線を挿通するための孔を開けるなど、用材や器具の側面に切り込み孔を形成するための工具に関するものである。
【背景技術】
【０００２】
従来、屋内配線工事において、図３に示す様に、壁面にボックス形状の露出型コンセントを設けることがある。この様な露出型コンセントに配線１４を接続する場合の端子はコンセントボックスＢの内部に設けられており、上面に差し込み口を有し、四方の側面は閉鎖されている。また、底面は開口している。
【０００３】
この露出型コンセントの端子に配線１４を接続する場合、上記側面１２の１つの端縁に当該配線１４を挿通するための通孔１１を形成しなければならない。上記コンセントボックスＢの中には、通孔１１を形成することが予想される側面に予め通孔を設け、当該通孔内にノックアウト用の舌片を設け、この舌片を除去すれば、通孔が容易に形成できるようになっているものや、通孔を設ける側面の厚さを予め薄くしておき、通孔を設け易くなっているものなどがある。
【０００４】
この様な場合、一般的には、作業者が携帯しているドライバーの先端部で上記ノックアウト用の舌片を叩いて壊したり、また、同様に、コンセントボックスの薄い側面を叩いて壊して通孔を設けている。
【非特許文献１】「絵解き電気工事２」昭和４４年１０月３０日株式会社オーム社書店発行
【考案の開示】
【考案が解決しようとする課題】
【０００５】
しかしながら、全てのコンセントボックスに上述の様な構成が設けられているわけではなく、その様な構成が無いコンセントボックスに通孔を設けることも少なくない。
【０００６】
この様な場合、上記特許文献１に記載された方法の様に、ドライバーの先端部によって叩いて通孔を形成しようとすると、ドライバーの先端部が正確に目標とする側面に当たらなかったり、また、当たったとしても必要以上に側面を壊してしまうことがある。この様に必要以上に穴が開いたコンセントボックスはもはや使用出来ず、廃棄処分となる。
【０００７】
この考案は、これらの点に鑑みて為されたもので、上記通孔及び当該通孔内にノックアウト用の舌片等が設けられていないコンセントボックス等であっても、当該コンセントボックス等の側面端縁に、容易かつ確実に通孔が開けられるなど、用材や器具の側面に切り込み孔を形成する工具を提供して上記課題を解決するものである。
【課題を解決するための手段】
【０００８】
請求項１の考案は、作用部と当該作用部の延長線上に設けた把手部から成る工具において、上記作用部は一定の厚さを有する横長の板体とし、当該板体の下端面に沿って複数枚のノコギリ歯を間隔をあけて並設した刃部を設け、上端面にヤスリ部を設け、上記刃部で、用材や器具の側面端縁に切り込みを設け、その後、上記ヤスリ部で上記切り込み部分を削って孔を成形する構成とした切り込み孔形成用工具とした。
【０００９】
請求項２の考案は、上記刃部の高さを、上記用材や器具の側面端縁に設ける孔の形状や高さに応じて調整することが可能な上記請求項１に記載の切り込み孔形成用工具とした。
【００１０】
請求項３の考案は、上記作用部において、上記刃部を他の形態の刃部と取り換え自在にした、上記請求項１又は２の何れかに記載の切り込み孔形成用工具した。
【考案の効果】
【００１１】
請求項１の考案によれば、側面端縁を有する用材や器具ならば、容易かつ確実に、当該側面端縁に孔を形成することが出来る。また、この切り込み孔形成用工具はシンプルな構成であり、費用もかからず、持ち歩くのにも邪魔にならず、便利である。また、複数の刃を並設したので、孔の形成の作業時間も短縮され、使い勝手が良いものである。
【００１２】
請求項２の考案によれば、上記刃部の高さを、用材や器具の側面端縁に設ける孔の形状や高さに応じて調整することを可能としたため、孔を形成するのが極めて容易に出来る。
【００１３】
請求項３の考案によれば、作用部の刃部を他の形態の刃部と取り換え自在にしたので、他の形態の刃部、例えば、ノコギリ歯の枚数が異なるものや、両端に位置するノコギリ歯の一方の外面から他方の外面までの長さが異なる刃部と取り換え自在にし、各種のものを用意しておくと、使用する刃部を用材や器具の側面に形成する孔の大きさや形状等によって最適なものを選択することが出来、便利である。
【図面の簡単な説明】
【００１４】
【図１】この考案の実施の形態例１の切り込み孔形成用工具の側面図である。
【図２】この考案の実施の形態例１の切り込み孔形成用工具の正面図である。
【図３】この考案の実施の形態例１の切り込み孔形成用工具を使って通孔を設けたコンセントボックスの斜視図である。
【図４】この考案の実施の形態例１の切り込み孔形成用工具の刃部によってコンセントボックスの側面端縁に切り込みを設ける状態の一部説明図である。
【図５】この考案の実施の形態例１の切り込み孔形成用工具を使って側面端縁に切り込みを入れたコンセントボックスの正面図である。
【図６】この考案の実施の形態例１の切り込み孔形成用工具のヤスリ部をコンセントボックスの側面端縁の切り込みに当てる状態の一部説明図である。
【図７】この考案の実施の形態例１の切り込み孔形成用工具を使って側面端縁に通孔を設けたコンセントボックスの正面図である。
【図８】この考案の実施の形態例２の切り込み孔形成工具の替刃部の斜視図である
【図９】この考案の実施の形態例２の切り込み孔形成工具の替刃部の高さを調整する機構を示す側面図である。
【図１０】この考案の実施の形態例２の切り込み孔形成工具で、替刃部を使用し、その替刃部にカバーを設けた状態の斜視図である。
【図１１】この考案の実施の形態例２の切り込み孔形成工具で、異なった替刃部と当該替刃部で形成した通孔の斜視図である。
【図１２】この考案の実施の形態例２の切り込み孔形成工具で、さらに、異なった替刃部と当該替刃部で形成した通孔の斜視図である。
【考案を実施するための形態】
【００１５】
（実施の形態例１）
以下、この考案の実施の形態例1の切り込み孔形成工具（以下、単に「孔工具」と言う。）を図１〜２に基づいて説明する。図１に示す様に、この孔工具Ａは、作用部１と当該作用部１の延長線上に設けた把手部２から成る。
【００１６】
上記作用部１は一定の厚さを有する横長の板体とし、当該板体の下端面に沿って複数枚のノコギリ歯を間隔をあけて並設した刃部３を設け、上端面にヤスリ部４を設けている。具体的には、図２に示す様に、４枚の横長の薄板の夫々の間に３枚のノコギリ歯３ａ、３ｂを挟んでボルト７ａとナット７ｂで２ヶ所固定して刃部３を形成している。また、ヤスリ部４は、細かな突起を表面に設けた軽金属製の薄い板体をチャネル型に設け、これを横長の板体の上端面に被せ、ボルト８ａとナット８ｂで固定している。
【００１７】
上記刃部３は、中央のノコギリ歯３ａを両脇のノコギリ歯３ｂよりも前方へ突出させており（図２参照）、これらの歯のうち両端に位置するノコギリ歯３ｂの一方の外面から他方の外面までの長さを、後述する配線器具に設ける通孔の幅の長さと同じ長さにしている。
【００１８】
また、上記ノコギリ歯３ａ、３ｂの高さを、配線器具に設ける通孔の高さと同じ高さとし、上記配線器具の側面端縁に不要な切り込みが形成されないようになっている。また、上記把手部２には、ゴム製の滑り止め材１０が設けられている。
【００１９】
次に、上記孔工具Ａを使って、例えば、配線器具である露出型コンセントボックスＢの側面の一つに配線１４（図３参照）を挿通するための半円形状の通孔１１を設ける様子を説明する。
【００２０】
最初に、上記コンセントボックスＢをひっくり返し、図４に示す様に、上記刃部３の３枚のノコギリ歯３ａ、３ｂを上記コンセントボックスＢの側面１２の中央部の端縁に当てて前後に動かし、図５に示す様に、３本の切り込み１３を設ける。
【００２１】
その後、これらの切り込み１３から上記ノコギリ歯３ａ、３ｂを抜き、この時、上記切り込み１３を設けた個所に突出する舌片１３ａを指で折って、折った後の舌片の折れ残り部分を上記ヤスリ部４で削り取っておく。
【００２２】
又は、上記ヤスリ部４のヤスリを、図６に示す様に、上記３本の切り込み１３を設けた個所に当て、そのままヤスリ部４を前後に動かし、上記切り込み１３部分を削って、図７に示す様に、半円形状の通孔１１を形成するようにしても良い。その後、図３に示す様に、上記コンセントボックスＢの端子に配線１４を接続し、このコンセントボックスＢから延ばす。
【００２３】
この実施の形態例１では、刃部としてノコギリ歯３ａ、３ｂを使用したので、極めて容易にコンセントボックスＢの側面端縁に切り込み１３を形成することが出来る。また、これらのノコギリ歯３ａ、３ｂの歯の荒さは、切り込みを入れる器具によって最良のものを選べば良い。
【００２４】
さらに、これらの刃のうち両端に位置するノコギリ歯３ｂの一方の外面から他方の外面までの長さをコンセントボックスＢに設ける通孔１１の幅の長さと同じにし、さらに、ノコギリ歯３の高さを、上記コンセントボックスＢに設ける通孔１３の高さと同じにしたので、この刃部３によって切り込み１３を形成していけば、自然に、所望の切り込みを形成することが出来、ストッパの役目も果たし、非常に便利である。
【００２５】
また、中央のノコギリ歯３ａを両脇のノコギリ歯３ｂよりも前方へ突出させたので、半円形状の通孔１３を形成するのが容易に出来る。
【００２６】
（実施の形態例２）
次に、上記作用部１の刃部３が、交換可能な孔工具を説明する。図８は、上記３枚のノコギリ歯を併設した刃部を交換可能な部品（以下、単に「替刃部」と言う。」としたものである。この替刃部５に予め設けた２つの通孔５ａに、図１０に示す様に、上記ボルト７ａ及びナット７ｂを通して固定する。
【００２７】
これにより、図１１及び図１２に示す様に、例えば、刃の枚数が異なるものや、刃同士の間隔や高さが異なる替刃部と取り換え自在にし、各種のものを用意しておくと、使用する替刃部を、形成する孔の形状や大きさ及び用材や器具によって最適なものを選択することが出来、便利である。図１１の替刃部１５では、ノコギリ歯１５ａ、１５ｂの枚数を５枚とし、中央のノコギリ歯１５ａを長く、両端へ行くほど短くしてコンセントボックスＢに設ける半円形状の通孔を設け易くし、また、替刃部１５としての幅も太いものとしている。また、図１２の替刃部１６では、４枚のノコギリ歯１６ａの高さを全て同じものとし、コンセントボックスＢに設ける形状を角型形状としている。
【００２８】
さらに、図９に示す様に、孔工具Ａの側面にある上記ボルト７ａ及び７ｂのための円穴を、縦長形状にして高さ調節孔９とし、ボルト７a及び７ｂの締め付け位置を変えことにより、ノコギリ歯の高さを、用材や器具の側面端縁に設ける孔の形状や高さに応じて調整可能となり通孔の形成をより容易にすることができる。ここでは、便宜を図るため上記高さ調節孔９に沿って目盛９´を設けている。
【００２９】
また、図１０に示す様に、上記刃部３やヤスリ部４に半円筒状で一端が作用部１に軸支されて回動自在なカバー６を設け（図１０では刃部３にのみカバー６を設けている。）、上記刃部３やヤスリ部４を使用しない時には、このカバー６を被せておけば、刃部３やヤスリ部４が不用意に露出しないので安全であるし、また、刃部３やヤスリ部４がいたむこともない。
【００３０】
なお、実施の形態例１では、通孔工具Ａとしての構成として、４枚の横長の薄板の夫々の間に３枚のノコギリ歯３ａ、３ｂを挟んでボルト７ａとナット７ｂで固定して刃部３を形成するなど、具体的に記載しているが、これはあくまでも一例であり、作用部と当該作用部の延長線上に設けた把手部から成る工具であって、作用部は一定の厚さを有する横長の板体とし、当該板体の下端面に沿って複数枚のノコギリ歯を間隔をあけて並設した刃部を設け、あるいは替刃部を設け、上端面にヤスリ部を設けたものであるならば、他のものでももちろん良い。
【符号の説明】
【００３１】
Ａ    孔工具              Ｂ    コンセントボックス
１    作用部              ２    把手部          ３    刃部
３ａ  ノコギリ歯          ３ｂ  ノコギリ歯      ４    ヤスリ部
５    替刃部              ６    カバー          ７ａ  ボルト
７ｂ  ナット              ８ａ  ボルト          ８ｂ  ナット
９    高さ調節孔          ９´  目盛          １０  滑り止め材
１１    通孔              １２    側面          １３    切り込み
１４    配線              １５  替刃部          １５ａ  ノコギリ歯
１５ｂ  ノコギリ歯        １６  替刃部          １６ａ  ノコギリ歯
【図１】
0003182495.tif 000003
【図２】
0003182495.tif 000004
【図３】
0003182495.tif 000005
【図４】
0003182495.tif 000006
【図５】
0003182495.tif 000007
【図６】
0003182495.tif 000008
【図７】
0003182495.tif 000009
【図８】
0003182495.tif 000010
【図９】
0003182495.tif 000011
【図１０】
0003182495.tif 000012
【図１１】
0003182495.tif 000013
【図１２】
0003182495.tif 000014